(57)【要約】【課題】一層アップグレードされたディスプレイ装置及びユーザー環境を提供する。【解決手段】ディスプレイ部と；映像供給源から受信される映像信号を既に設定された映像処理プロセスに従って処理してディスプレイ部に映像で表示する映像処理部と；映像処理プロセスをアップグレードするように設けられたアップグレード装置が接続される接続部と；ディスプレイ装置に電源を供給する電源供給部と；ディスプレイ装置のブーティングが開始されれば、アップグレード装置の接続可否に従ってアップグレード装置に優先的に電源を供給するように電源供給部を制御する制御部と；を含む。【選択図】図６
2013141228.tif 000002
【特許請求の範囲】
【請求項１】
ディスプレイ装置において、
ディスプレイ部と；
映像供給源から受信される映像信号を既に設定された映像処理プロセスに従って処理して前記ディスプレイ部に映像で表示する映像処理部と；
前記映像処理プロセスをアップグレードするように設けられたアップグレード装置が接続される接続部と；
前記ディスプレイ装置に電源を供給する電源供給部と；
前記ディスプレイ装置のブーティングが開始されれば、前記アップグレード装置の接続可否に従って前記アップグレード装置に優先的に電源を供給するように電源供給部を制御する制御部と；
を含むことを特徴とするディスプレイ装置。
【請求項２】
前記制御部は、前記接続部に前記アップグレード装置が接続されない場合には前記接続部より先に前記映像処理部に前記電源供給部からの電源を供給し、前記接続部に前記アップグレード装置が接続された場合には前記映像処理部より先に前記接続部に前記電源供給部からの電源を供給することを特徴とする請求項１に記載のディスプレイ装置。
【請求項３】
前記制御部は、前記ディスプレイ装置の電源のターンオフ  イベント発生時、前記接続部に前記アップグレード装置が接続されれば前記アップグレード装置に関するフラッグ情報を保存した後に前記ディスプレイ装置の電源をターンオフさせ、前記ブーティングが開始されれば前記フラッグ情報の保存可否に従って前記接続部に対する前記アップグレード装置の接続可否を判断することを特徴とする請求項２に記載のディスプレイ装置。
【請求項４】
前記制御部は、前記ブーティングが開始される時に前記フラッグ情報があれば前記接続部に対して前記アップグレード装置が接続されたと判断し、前記フラッグ情報がなければ前記接続部に対して前記アップグレード装置が接続されなかったと判断することを特徴とする請求項３に記載のディスプレイ装置。
【請求項５】
前記接続部は複数の接続端子を含み、
前記制御部は、前記複数の接続端子の中で前記アップグレード装置に接続された少なくとも一つ以上の前記接続端子に対して前記映像処理部より先に電源が供給されるように制御することを特徴とする請求項２に記載のディスプレイ装置。
【請求項６】
前記アップグレード装置は、前記映像処理プロセスの中で少なくとも一部の第１プロセスに対応する第２プロセスを行なうことができるし、
前記制御部は、前記接続部に対する前記アップグレード装置の接続時に前記映像処理部による前記第１プロセスを代えて前記アップグレード装置による第２プロセスが行なわれるように制御することを特徴とする請求項１に記載のディスプレイ装置。
【請求項７】
ディスプレイ装置のアップグレード装置において、
映像供給源から受信される映像信号を既に設定された映像処理プロセスに従って処理して映像で表示する前記ディスプレイ装置に接続する接続部と；
前記接続部に前記ディスプレイ装置が接続されれば、前記映像処理プロセスをアップグレードさせて処理する映像処理部と；
前記ディスプレイ装置のブーティングが開始されれば前記ディスプレイ装置及び前記アップグレード装置の接続可否に従って前記アップグレード装置に優先的に前記ディスプレイ装置の電源が供給されるように指示する情報を、前記ディスプレイ装置が前記ブーティング開始時に前記指示情報に従って動作するように前記ディスプレイ装置に保存する制御部と；
を含むことを特徴とするアップグレード装置。
【請求項８】
前記ディスプレイ装置は、前記アップグレード装置に接続する装置接続部と、前記映像処理プロセスを処理する装置映像処理部と、を含み、
前記制御部は、前記ディスプレイ装置及び前記アップグレード装置が接続されない場合に前記ディスプレイ装置の電源が前記装置接続部より先に前記装置映像処理部に供給されるように設けられた前記ディスプレイ装置に対して、前記ディスプレイ装置の電源が前記装置映像処理部より先に前記装置接続部を通じて前記アップグレード装置に供給されるように指示する前記指示情報を前記ディスプレイ装置に保存する制御部を含むことを特徴とする請求項７に記載のアップグレード装置。
【請求項９】
前記制御部は、前記ディスプレイ装置の電源のターンオフ  イベント発生時、前記指示情報を前記ディスプレイ装置に保存した後に前記ディスプレイ装置の電源をターンオフさせることを特徴とする請求項８に記載のアップグレード装置。
【請求項１０】
前記装置接続部は複数の接続端子を含み、
前記制御部は、前記複数の接続端子の中で前記接続部に接続された少なくとも一つ以上の前記接続端子に対して前記装置映像処理部より先に電源が供給されるように前記指示情報を構成することを特徴とする請求項８に記載のアップグレード装置。
【請求項１１】
前記映像処理部は、前記映像処理プロセスの中で少なくとも一部の第１プロセスに対応する第２プロセスを行なうことができるし、
前記制御部は、前記接続部に対する前記ディスプレイ装置の接続時に前記ディスプレイ装置による前記第１プロセスを代えて、前記映像処理部による第２プロセスが行なわれるように制御することを特徴とする請求項７に記載のアップグレード装置。
【請求項１２】
ディスプレイ部と、映像供給源から受信される映像信号を既に設定された映像処理プロセスに従って処理して前記ディスプレイ部に映像で表示する映像処理部を含むディスプレイ装置の制御方法において、
前記映像処理プロセスをアップグレードするように設けられたアップグレード装置が前記ディスプレイ装置の接続部に接続される段階と；
前記ディスプレイ装置の電源がターンオフされる段階と；
前記ディスプレイ装置のブーティングが開始されれば、前記接続部に対する前記アップグレード装置の接続可否に従って前記アップグレード装置に優先的に前記ディスプレイ装置の電源を供給する段階と；
前記アップグレード装置による前記映像処理プロセスのアップグレードを行なう段階と；
を含むことを特徴とするディスプレイ装置の制御方法。
【請求項１３】
ディスプレイ装置のアップグレード装置の制御方法において、
映像供給源から受信される映像信号を既に設定された映像処理プロセスに従って処理して映像で表示する前記ディスプレイ装置に接続する段階と；
前記ディスプレイ装置に接続されることによって前記映像処理プロセスをアップグレードさせて処理する段階と；
前記ディスプレイ装置のブーティングが開始されれば前記ディスプレイ装置及び前記アップグレード装置の接続可否に従って前記アップグレード装置に優先的に前記ディスプレイ装置の電源が供給されるように指示する情報を、前記ディスプレイ装置が前記ブーティング開始時に前記指示情報に従って動作するように前記ディスプレイ装置に保存する段階と；
を含むことを特徴とするアップグレード装置の制御方法。
【発明の詳細な説明】
【技術分野】
【０００１】
本発明は、映像供給源から提供される映像信号を既に設定された映像処理プロセスに従って処理して映像で表示するディスプレイ装置、このディスプレイ装置をアップグレードするアップグレード装置、このようなディスプレイ装置とアップグレード装置を含むディスプレイシステム及びこの制御方法に係り、さらに詳しくは、ディスプレイ装置及びアップグレード装置が接続されている時のブーティング速度を向上させる構造のディスプレイ装置、アップグレード装置、ディスプレイシステム及びこれらの制御方法に関する。
【背景技術】
【０００２】
一般的に、ディスプレイ装置は、外部の多様な映像供給源から伝送され、または自体に保存されている映像信号／映像データを処理して、自体に具備したディスプレイパネル上に映像で表示する装置である。一般ユーザーに提供されるディスプレイ装置の実現例としては、ＴＶまたはモニタ等があり、例えば、ＴＶで実現されたディスプレイ装置は外部から受信される放送信号をデコーディング、スケーリング等のような多様な映像処理プロセスを通じてユーザーの望む放送チャンネルの映像を提供する。
【０００３】
ディスプレイ装置は、このような映像処理プロセスを行なうように多様なチップセット、メモリーなどを含む回路構成で実現された映像処理ボードを内蔵する。ところで、技術の発達、ユーザーの要求に応ずる対応、便宜性の向上など多様な要因により、ディスプレイ装置に要求される能力は深化及び拡張されている傾向である。このようなディスプレイ装置の機能向上、即ちアップグレード（ｕｐｇｒａｄｅ）のためにはハードウェアの側面と、ソフトウェアの側面を考慮することができる。
【０００４】
ところで、ハードウェアの観点でディスプレイ装置のアップグレードは、ディスプレイ装置に内蔵された映像処理ボードの全体または少なくとも一部を物理的に交換しなければならないので、製造者側でもユーザー側でも容易でない。ソフトウェアの観点で見ても、一層発展したソフトウェアを駆動するためにはこれに対応するように設計されたハードウェアを必要とするので、結局、一般ユーザーとしてはアップグレードされたディスプレイ装置を新しく購入する負担を有することになる。
【発明の概要】
【発明が解決しようとする課題】
【０００５】
従って、本発明の目的は、一層アップグレードされたディスプレイ装置及びユーザー環境を提供することを目的とする。
【課題を解決するための手段】
【０００６】
本発明の実施形態によるディスプレイ装置は、ディスプレイ部と；映像供給源から受信される映像信号を既に設定された映像処理プロセスに従って処理して、前記ディスプレイ部に映像で表示する映像処理部と；前記映像処理プロセスをアップグレードするように設けられたアップグレード装置が接続される接続部と；前記ディスプレイ装置に電源を供給する電源供給部と；前記ディスプレイ装置のブーティングが開始されれば、前記アップグレード装置の接続可否に従って前記アップグレード装置に優先的に電源を供給するように電源供給部を制御する制御部と；
を含むことを特徴とする。
【０００７】
ここで、前記制御部は、前記接続部に前記アップグレード装置が接続されない場合には前記接続部より先に前記映像処理部に前記電源供給部からの電源を供給し、前記接続部に前記アップグレード装置が接続された場合には前記映像処理部より先に前記接続部に前記電源供給部からの電源を供給することができる。
【０００８】
ここで、前記制御部は、前記ディスプレイ装置の電源のターンオフ  イベント発生時、前記接続部に前記アップグレード装置が接続されれば前記アップグレード装置に関するフラッグ情報を保存した後に前記ディスプレイ装置の電源をターンオフさせ、前記ブーティングが開始されれば前記フラッグ情報の保存可否に従って前記接続部に対する前記アップグレード装置の接続可否を判断することができる。
【０００９】
ここで、前記制御部は、前記ブーティングが開始される時に前記フラッグ情報があれば前記接続部に対して前記アップグレード装置が接続されたと判断し、前記フラッグ情報がなければ前記接続部に対して前記アップグレード装置が接続されなかったと判断することができる。
【００１０】
また、前記接続部は複数の接続端子を含み、前記制御部は、前記複数の接続端子の中で前記アップグレード装置に接続された少なくとも一つ以上の前記接続端子に対して前記映像処理部より先に電源が供給されるように制御することができる。
【００１１】
また、前記アップグレード装置は、前記映像処理プロセスの中で少なくとも一部の第１プロセスに対応する第２プロセスを行なうことができるし、前記制御部は、前記接続部に対する前記アップグレード装置の接続時に前記映像処理部による前記第１プロセスを代えて前記アップグレード装置による第２プロセスが行なわれるように制御することができる。
【００１２】
また、本発明の実施形態によるディスプレイ装置のアップグレード装置は、映像供給源から受信される映像信号を既に設定された映像処理プロセスに従って処理して映像で表示する前記ディスプレイ装置に接続する接続部と；前記接続部に前記ディスプレイ装置が接続されれば、前記映像処理プロセスをアップグレードさせて処理する映像処理部と；前記ディスプレイ装置のブーティングが開始されれば前記ディスプレイ装置及び前記アップグレード装置の接続可否に従って前記アップグレード装置に優先的に前記ディスプレイ装置の電源が供給されるように指示する情報を、前記ディスプレイ装置が前記ブーティング開始時に前記指示情報に従って動作するように前記ディスプレイ装置に保存する制御部と；を含むことを特徴とする。
【００１３】
ここで、前記ディスプレイ装置は、前記アップグレード装置に接続する装置接続部と、前記映像処理プロセスを処理する装置映像処理部を含み、前記制御部は、前記ディスプレイ装置及び前記アップグレード装置が接続されない場合に前記ディスプレイ装置の電源が前記装置接続部より先に前記装置映像処理部に供給されるように設けられた前記ディスプレイ装置に対して、前記ディスプレイ装置の電源が前記装置映像処理部より先に前記装置接続部を通じて前記アップグレード装置に供給されるように指示する前記指示情報を前記ディスプレイ装置に保存する制御部を含むことができる。
【００１４】
ここで、前記制御部は、前記ディスプレイ装置の電源のターンオフ  イベント発生時、前記指示情報を前記ディスプレイ装置に保存した後に前記ディスプレイ装置の電源をターンオフさせることができる。
【００１５】
また、前記装置接続部は複数の接続端子を含み、前記制御部は、前記複数の接続端子の中で前記接続部に接続された少なくとも一つ以上の前記接続端子に対して前記装置映像処理部より先に電源が供給されるように前記指示情報を構成することができる。
【００１６】
また、前記映像処理部は、前記映像処理プロセスの中で少なくとも一部の第１プロセスに対応する第２プロセスを行なうことができるし、前記制御部は、前記接続部に対する前記ディスプレイ装置の接続時に前記ディスプレイ装置による前記第１プロセスを代えて前記映像処理部による第２プロセスが行なわれるように制御することができる。
【００１７】
また、本発明の実施形態によるディスプレイ部と、映像供給源から受信される映像信号を既に設定された映像処理プロセスに従って処理して前記ディスプレイ部に映像で表示する映像処理部を含むディスプレイ装置の制御方法は、前記映像処理プロセスをアップグレードするように設けられたアップグレード装置が前記ディスプレイ装置の接続部に接続される段階と；前記ディスプレイ装置の電源がターンオフされる段階と；前記ディスプレイ装置のブーティングが開始されれば、前記接続部に対する前記アップグレード装置の接続可否に従って前記アップグレード装置に優先的に前記ディスプレイ装置の電源を供給する段階と；前記アップグレード装置による前記映像処理プロセスのアップグレードを行なう段階と；を含むことを特徴とする。
【００１８】
ここで、前記アップグレード装置に優先的に前記ディスプレイ装置の電源を供給する段階は、前記接続部に前記アップグレード装置が接続されない場合に前記接続部より先に前記映像処理部に前記ディスプレイ装置の電源が供給される基本モードに対して、前記映像処理部より先に前記接続部を通じて前記アップグレード装置に前記ディスプレイ装置の電源を供給するモードで動作する段階を含むことができる。
【００１９】
ここで、前記ディスプレイ装置の電源がターンオフされる段階は、前記接続部に前記アップグレード装置が接続されれば前記アップグレード装置に関するフラッグ情報を保存した後に前記ディスプレイ装置の電源をターンオフさせる段階を含み、前記映像処理部より先に前記接続部を通じて前記アップグレード装置に前記ディスプレイ装置の電源を供給するモードで動作する段階は、前記フラッグ情報の保存可否に従って前記接続部に対する前記アップグレード装置の接続可否を判断する段階を含むことができる。
【００２０】
ここで、前記フラッグ情報の保存可否に従って前記接続部に対する前記アップグレード装置の接続可否を判断する段階は、前記ブーティングが開始される時に前記フラッグ情報があれば前記接続部に対して前記アップグレード装置が接続されたと判断し、前記フラッグ情報がなければ前記接続部に対して前記アップグレード装置が接続されなかったと判断する段階を含むことができる。
【００２１】
また、前記接続部は複数の接続端子を含み、前記映像処理部より先に前記接続部を通じて前記アップグレード装置に前記ディスプレイ装置の電源を供給するモードで動作する段階は、前記複数の接続端子の中で前記アップグレード装置に接続された少なくとも一つ以上の前記接続端子に対して前記映像処理部より先に電源を供給する段階を含むことができる。
【００２２】
また、前記アップグレード装置は、前記映像処理プロセスの中で少なくとも一部の第１プロセスに対応する第２プロセスを行なうことができるし、前記アップグレード遂行段階は、前記接続部に対する前記アップグレード装置の接続時に前記映像処理部による前記第１プロセスを代えて前記アップグレード装置による第２プロセスが行なわれるように制御する段階を含むことができる。
【００２３】
また、本発明の実施形態によるディスプレイ装置のアップグレード装置の制御方法は、映像供給源から受信される映像信号を既に設定された映像処理プロセスに従って処理して映像で表示する前記ディスプレイ装置に接続する段階と；前記ディスプレイ装置に接続されることによって前記映像処理プロセスをアップグレードさせて処理する段階と；前記ディスプレイ装置のブーティングが開始されれば前記ディスプレイ装置及び前記アップグレード装置の接続可否に従って前記アップグレード装置に優先的に前記ディスプレイ装置の電源が供給されるように指示する情報を、前記ディスプレイ装置が前記ブーティング開始時に前記指示情報に従って動作するように前記ディスプレイ装置に保存する段階と；を含むことを特徴とする。
【００２４】
ここで、前記ディスプレイ装置は、前記アップグレード装置に接続する装置接続部と、前記映像処理プロセスを処理する装置映像処理部を含み、前記指示情報を前記ディスプレイ装置に保存する段階は、前記ディスプレイ装置及び前記アップグレード装置が接続されない場合に前記ディスプレイ装置の電源が前記装置接続部より先に前記装置映像処理部に供給されるように設けられた前記ディスプレイ装置に対して、前記ディスプレイ装置の電源が前記装置映像処理部より先に前記装置接続部を通じて前記アップグレード装置に供給されるように指示する前記指示情報を前記ディスプレイ装置に保存する段階を含むことができる。
【００２５】
ここで、前記指示情報を前記ディスプレイ装置に保存する段階は、前記ディスプレイ装置の電源のターンオフ  イベント発生時、前記指示情報を前記ディスプレイ装置に保存した後に前記ディスプレイ装置の電源をターンオフさせる段階を含むことができる。
【００２６】
また、前記装置接続部は複数の接続端子を含み、前記指示情報を前記ディスプレイ装置に保存する段階は、前記複数の接続端子の中で前記アップグレード装置に接続された少なくとも一つ以上の前記接続端子に対して前記装置映像処理部より先に電源が供給されるように前記指示情報を構成する段階を含むことができる。
【００２７】
また、前記アップグレード装置は前記映像処理プロセスの中で少なくとも一部の第１プロセスに対応する第２プロセスを行なうことができるし、前記映像処理プロセスをアップグレードさせて処理する段階は、前記ディスプレイ装置に対する接続時に前記ディスプレイ装置による前記第１プロセスを代えて前記アップグレード装置による第２プロセスが行なわれるように制御する段階を含むことができる。
【００２８】
また、本発明の実施形態によるディスプレイシステムは、ディスプレイ部と、映像供給源から受信される映像信号を既に設定された映像処理プロセスに従って処理して前記ディスプレイ部に映像で表示する映像処理部と；外部と接続される接続部と；前記ディスプレイ装置に電源を供給する電源供給部を含むディスプレイ装置と；既に設定された設定情報に基づいて前記映像処理プロセスをアップグレードするように前記接続部に接続され、アップグレードされた前記映像処理プロセスに従って前記映像信号を処理するアップグレード装置と；を含み、前記ディスプレイ装置のブーティングが開始されれば、前記アップグレード装置の接続可否に従って前記アップグレード装置に優先的に電源が供給されることを特徴とする。
【発明の効果】
【００２９】
ディスプレイ装置及びアップグレード装置が接続された状態で、ブーティング時間の遅延を最小化させることができる。
【図面の簡単な説明】
【００３０】
【図１】本発明の実施形態によるディスプレイシステムの例示図である。
【図２】図１のディスプレイシステムの構成ブロック図である。
【図３】図１のディスプレイシステムで、ディスプレイ装置の映像処理プロセスをアップグレード装置によってアップグレードする方法を示す例示図である。
【図４】図１のディスプレイシステムで、ディスプレイ装置の映像処理プロセスをアップグレード装置によってアップグレードする方法を示す例示図である。
【図５】図１のディスプレイ装置及びアップグレード装置が接続されない場合にブーティング時ディスプレイ装置の電源が供給される順序を示す例示図である。
【図６】図１のディスプレイ装置及びアップグレード装置が接続された場合にブーティング時ディスプレイ装置の電源が供給される順序を示す例示図である。
【図７】図１のディスプレイ装置でフラッグ情報を保存する方法を示す制御フローチャートである。
【図８】図１のディスプレイ装置でブーティング開始に従って電源が供給される方法を示す制御フローチャートである。
【発明を実施するための形態】
【００３１】
以下、添付図面を参照して本発明を詳しく説明する。以下の実施形態では、本発明の思想と直接的に関連のある構成に関してだけ説明し、その他の構成に関しては説明を省略する。しかし、本発明の思想が適用された装置またはシステムを実現することにおいて、このように説明が省略された構成が不必要を意味することではないことを明らかにする。
【００３２】
図１は、本発明の実施形態によるディスプレイシステム１の例示図である。
【００３３】
図１に示すように、本実施形態によるディスプレイシステム１は、外部の映像供給源(図示せず）から提供される映像信号を既に設定された映像処理プロセスに従って処理して映像で表示するディスプレイ装置１００と、ディスプレイ装置１００のハードウェア／ソフトウェアをアップグレードさせるアップグレード装置２００と、を含む。
【００３４】
本実施形態のシステム１でディスプレイ装置１００は、放送局の送出設備から受信される放送信号／放送情報／放送データに基づく放送映像を表示するＴＶで実現される場合に対して説明する。しかし、本発明の思想はディスプレイ装置１００の実現例に限られず、ディスプレイ装置１００はＴＶ以外にも映像を表示することができる多様な種類の実現例が適用されることができる。
【００３５】
また、ディスプレイ装置１００は、表示可能な映像の種類が放送映像に限られず、例えばディスプレイ装置１００は、多様な形式の映像供給源(図示せず）から受信される信号／データに基づく動画、静止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのＧＵＩ（ｇｒａｐｈｉｃａｌ  ｕｓｅｒ  ｉｎｔｅｒｆａｃｅ）等の映像を表示することができる。
【００３６】
アップグレード装置２００は、ディスプレイ装置１００と通信可能であるように接続される。アップグレード装置２００は、接続されたディスプレイ装置１００の既存ハードウェア／ソフトウェア構成をアップグレードし、アップグレードされたディスプレイ装置１００のハードウェア／ソフトウェア構成によって映像信号が処理されるようにすることによって、一層向上された画質の映像が表示されることができる。
【００３７】
アップグレード装置２００は、ディスプレイ装置１００に対して有線または無線で接続されることができるし、本実施形態によるアップグレード装置２００は、ディスプレイ装置１００に対して有線で接続されることによってアップグレード装置２００及びディスプレイ装置１００との間にデータ／情報／信号／電源が送受信されるようにする。アップグレード装置２００及びディスプレイ装置１００は、相互間の物理的／電気的接続のためのコネクター／端子構成１１０、２１０を各々含む。
【００３８】
または、アップグレード装置２００は、本実施形態の場合とは異なるように、無線でディスプレイ装置１００に接続されることもできるので、この場合にアップグレード装置２００は別途の外部電源またはバッテリーから動作電源が供給される。ただし、本実施形態ではアップグレード装置２００がディスプレイ装置１００に対して有線で接続される場合に関して説明する。
【００３９】
ディスプレイ装置１００は、外部から受信される映像信号を単独で既に設定された映像処理プロセスに従って処理して映像で表示することができる。しかし、本実施形態によれば、ディスプレイ装置１００及びアップグレード装置２００の接続に従って前述の映像処理プロセスを行なうディスプレイシステム１のハードウェア／ソフトウェア構成がアップグレードされ、これに従って相対的に画質が向上された映像がユーザーに提供されることができる。
【００４０】
以下、ディスプレイ装置１００及びアップグレード装置２００の構成に対して図２を参照して説明する。図２は、ディスプレイシステム１を構成するディスプレイ装置１００及びアップグレード装置２００の構成ブロック図である。
【００４１】
図２に示すように、ディスプレイ装置１００は、少なくとも一つの映像供給源３００が接続される第１接続部１１０と、第１接続部１１０を通じて映像供給源３００から受信される映像信号を処理する第１映像処理部１２０と、第１映像処理部１２０により処理される映像信号を映像で表示するディスプレイ部１３０と、ユーザーの操作に従って既に設定されたコマンドを出力するユーザー入力部１４０と、限定されないデータ／情報が保存される第１保存部１５０と、ディスプレイ装置１００の諸般構成の動作を制御する第１制御部１６０と、を含む。
【００４２】
第１接続部１１０は、少なくとも一つの映像供給源３００から受信される映像信号を第１映像処理部１２０に伝達し、受信される映像信号の規格や映像供給源３００及びディスプレイ装置１００の実現方式に対応して多様な方式を有する。例えば、第１接続部１１０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ、コンポーネント（ｃｏｍｐｏｎｅｎｔ）等の規格による信号／データを受信できるし、これらそれぞれの規格に対応する複数の接続端子(図示せず）を含む。このような各接続端子(図示せず）に映像供給源３００を始まる多様な外部装置が接続されることによって、第１接続部１１０を経由する通信が可能である。
【００４３】
即ち、第１接続部１１０に接続される外部装置は、映像供給源３００に限られず、第１接続部１１０を通じてディスプレイ装置１００との間に信号／データの送受信が可能な装置は第１接続部１１０に接続されることができるので、本実施形態によればアップグレード装置２００が第１接続部１１０に接続されることができる。
【００４４】
第１映像処理部１２０は、第１接続部１１０から受信される映像信号に対して既に設定された多様な映像処理プロセスを行なう。第１映像処理部１２０は、このようなプロセスが行なわれる映像信号をディスプレイ部１３０に出力することによって、ディスプレイ部１３０に該当映像信号に基づく映像が表示されるようにする。
【００４５】
第１映像処理部１２０が行なう映像処理プロセスの種類は限られず、例えば所定信号を各特性別信号で分配するディマルチプレキシング（ｄｅ−ｍｕｌｔｉｐｌｅｘｉｎｇ）、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディ−インタレーシング（ｄｅ−ｉｎｔｅｒｌａｃｉｎｇ）、映像信号を既に設定された解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレーム リフレッシュ レート（ｆｒａｍｅ  ｒｅｆｒｅｓｈ  ｒａｔｅ）変換などを含むことができる。
【００４６】
第１映像処理部１２０は、このようなプロセスを行なうための多様なチップセット(図示せず）、メモリー(図示せず）、電子部品(図示せず）、配線(図示せず）等の回路構成が印刷回路基板(図示せず）上に実装された映像処理ボード(図示せず）で実現される。
【００４７】
ディスプレイ部１３０は、第１映像処理部１２０から出力される映像信号に基づいて映像を表示する。ディスプレイ部１３０の実現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃 （ｓｕｒｆａｃｅ−ｃｏｎｄｕｃｔｉｏｎ  ｅｌｅｃｔｒｏｎ−ｅｍｉｔｔｅｒ）、炭素ナノ チューブ （ｃａｒｂｏｎ  ｎａｎｏ−ｔｕｂｅ）、ナノ クリスタル（ｎａｎｏ−ｃｒｙｓｔａｌ）等の多様なディスプレイ方式で実現されることができる。
【００４８】
ディスプレイ部１３０は、その実現方式に従って付加的な構成を追加的に含むことができる。例えば、ディスプレイ部１３０が液晶方式である場合、ディスプレイ部１３０は、液晶ディスプレイパネル(図示せず）と、これに光を供給するバックライトユニット(図示せず）と、パネル(図示せず）を駆動させるパネル駆動基板(図示せず）と、を含む。
【００４９】
ユーザー入力部１４０は、ユーザーの操作及び入力によって、既に設定された多様な制御コマンドまたは限られない情報を第１制御部１６０に伝達する。ユーザー入力部１４０は、ディスプレイ装置１００外側に設置されたメニューキー（ｍｅｍｕ−ｋｅｙ）及び入力パネル（ｐａｎｅｌ）や、ディスプレイ装置１００と分離離隔されたリモート コントローラー（ｒｅｍｏｔｅ  ｃｏｎｔｒｏｌｌｅｒ）等で実現される。
【００５０】
または、ユーザー入力部１４０は、ディスプレイ部１３０と一体型で実現されることができる。即ち、ディスプレイ部１３０がタッチスクリーン（ｔｏｕｃｈ−ｓｃｒｅｅｎ）である場合、ユーザーはディスプレイ部１３０に表示された入力メニュー(図示せず）を通じて既に設定されたコマンドを第１制御部１６０に伝達することもできる。
【００５１】
第１保存部１５０は、第１制御部１６０の制御に従って限られないデータが保存される。第１保存部１５０は、フラッシュメモリー（ｆｌａｓｈ−ｍｅｍｏｒｙ）、ハードディスク ドライブ（ｈａｒｄ−ｄｉｓｃ  ｄｒｉｖｅ）のような不揮発性メモリーで実現される。第１保存部１５０は、第１制御部１６０によってアクセスされ、第１制御部１６０によるデータの読み取り／記録／修正／削除／更新などが行なわれる。
【００５２】
第１保存部１５０に保存されるデータは、例えばディスプレイ装置１００の駆動のためのオペレーティングシステムを始めとして、このオペレーティングシステム上で実行可能な多様なアプリケーション、映像データ、付加データ等を含む。
【００５３】
第１制御部１６０は、ディスプレイ装置１００の多様な構成に対する制御動作を行なう。例えば、第１制御部１６０は、第１映像処理部１２０が処理する映像処理プロセスの進行、第１接続部１１０を通じる信号／情報／データの送受信動作、ユーザー入力部１４０からのコマンドに対する対応制御動作を行なうことによって、ディスプレイ装置１００の全体動作を制御する。
【００５４】
このような構成のディスプレイ装置１００は、使用時間が経過することによって、技術の発展を含む多様な要因によりアップグレードを必要とする。アップグレードを必要とする場合は、例えばディスプレイ装置１００の製造段階で提案されなかった新しいフォーマットの映像信号を受信する場合や、または高画質映像を要求するトレンドに従ってディスプレイ装置１００自体が提供する水準以上の解像度を有する映像信号を受信する場合や、またはディスプレイ装置１００のシステム負荷をより軽減させようと思う場合など多様である。
【００５５】
このようなディスプレイ装置１００のアップグレードは、ハードウェア及びソフトウェアそれぞれの側面がある。本実施形態によれば、ディスプレイ装置１００をアップグレードするように設けられたアップグレード装置２００が第１接続部１１０に接続されることによって、ディスプレイ装置１００の既存ハードウェア構成及びソフトウェア構成の中で少なくとも何れか一つをアップグレードさせる。
【００５６】
アップグレード装置２００は、ディスプレイ装置１００が有するハードウェア／ソフトウェア資源の中で少なくとも一部の資源に対応するハードウェア／ソフトウェア構成を含む。アップグレード装置２００が含むこれらの構成は、ディスプレイ装置１００の前述した少なくとも一部の資源より向上された機能を行なうことができるように設けられる。アップグレード装置２００は、ディスプレイ装置１００に接続されれば、ディスプレイ装置１００の既存資源の中で少なくとも一部を代えることによって、最終的にディスプレイ装置１００で表示される映像の品質を向上させる。
【００５７】
以下、アップグレード装置２００の構成に対して説明する。
【００５８】
アップグレード装置２００は、ディスプレイ装置１００の第１接続部１１０に接続される第２接続部２１０と、第１映像処理部１２０の映像処理プロセスの中で少なくとも一部に対応するプロセスを処理可能な第２映像処理部２２０と、限られないデータ／情報が保存される第２保存部２５０と、アップグレード装置２００の多様な動作を制御する第２制御部２６０と、を含む。
【００５９】
第２接続部２１０は、第１接続部１１０に接続されることによってアップグレード装置２００及びディスプレイ装置１００との間の通信が可能にする。第２接続部２１０は、第１接続部１１０と接続するように第１接続部１１０に対応する規格に従って設けられ、第１接続部１１０の複数の接続端子(図示せず）の中で少なくとも一つ以上の接続端子(図示せず）に接続されることができる。
【００６０】
例えば、第２接続部２１０は、第１接続部１１０の複数の接続端子(図示せず）の中で、ディスプレイ装置１００及びアップグレード装置２００の間に映像信号が送受信されるようにＨＤＭＩ端子(図示せず）に、そしてデータ及び電源が送受信されるようにＵＳＢ端子(図示せず）に各々接続されることができる。しかし、これは一つの例示に過ぎず、第１接続部１１０及び第２接続部２１０の間の接続方式は、前述の実施形態以外にも多様な形態で実現されることができる。
【００６１】
第２映像処理部２２０は、ディスプレイ装置１００で第１映像処理部１２０によって行なわれる少なくとも一部の第１プロセスに対して、第１プロセスに対応する第２プロセスを行なうことができる。第１プロセス及び第２プロセスは、相互区別のために便宜上指して呼ぶことで、また一つの単位プロセスであることもできるし、複数の単位プロセスであることもできる。第２プロセスは、第１プロセスに比べて機能的に向上され、これはチップセットのようなハードウェアの改善や、またはアルゴリズム／実行コード／プログラムのようなソフトウェアの改善によって実現される。
【００６２】
第２映像処理部２２０は、ディスプレイ装置１００及びアップグレード装置２００の接続時に第１制御部１６０または第２制御部２６０の制御に従って、第１プロセスを代えて第２プロセスを行なう。このように、映像処理プロセスが行なわれることによって、第１プロセスより機能的に向上された第２プロセスが第１プロセスの代わりに行なわれることによって、結果的に全体的な映像処理プロセスの向上が可能である。これに対する詳しい実施形態に対しては後述する。
【００６３】
第２保存部２５０は、限定されないデータが保存される。第２保存部２５０は、フラッシュメモリー（ｆｌａｓｈ−ｍｅｍｏｒｙ）、ハードディスク ドライブ（ｈａｒｄ−ｄｉｓｋ  ｄｒｉｖｅ）のような非揮発性メモリーで実現される。第２保存部２５０は、第１制御部１６０または第２制御部２６０によりアクセスされ、これによるデータの読み取り／記録／修正／削除／更新などが行なわれる。一方、第１保存部１５０も実現方式によって第１制御部１６０だけでなく第２制御部２６０によってアクセスされることもできる。
【００６４】
第２制御部２６０は、全体的な映像処理プロセスを行なうためのディスプレイ装置１００及びアップグレード装置２００の間の接続動作を制御する。第２制御部２６０及び第１制御部１６０は、ＣＰＵで実現されることができるので、第２制御部２６０が第１制御部１６０より向上された機能を行なうことができれば第２制御部２６０は第１制御部１６０を無効化させ第１制御部１６０を代えてディスプレイシステム１全体の動作を制御することができる。または、第２制御部２６０は、第１制御部１６０と共にディスプレイシステム１全体の動作を制御することもできる。
【００６５】
以下、アップグレード装置２００によってディスプレイ装置１００をアップグレードする具体的な実施形態に対して図３を参照して説明する。図３は、本実施形態によるディスプレイシステム１でディスプレイ装置１００の映像処理プロセスをアップグレード装置２００によってアップグレードする方法を示すフローチャートである。
【００６６】
図３に示すように、ディスプレイ装置１００は、映像供給源３００からの所定の信号、例えば放送信号が受信されれば（４１１）、これを既に設定されたシーケンスの映像処理プロセス（４１２、４１３、４１４）に従って処理する。図面に示す映像処理プロセス（４１２、４１３、４１４）の例示は本発明の実施形態をより簡潔に表現するように幾つかの例示だけを示すことで、実際にディスプレイ装置１００で実現される映像処理プロセスを全部示すことではないことを明らかにする。
【００６７】
ディスプレイ装置１００は、受信される放送信号を映像信号、音声信号及び追加データで分類するディマルチプレキシングを行なう（４１２）。ディスプレイ装置１００は、ディマルチプレキシングが行なわれた各信号に対する処理を行なうので、例えば映像信号を既に設定された映像フォーマットでデコーディング処理する（４１３）。ディスプレイ装置１００は、デコーディングされた映像信号をディスプレイ部１３０に映像で表示するように所定解像度でスケーリングし（４１４）、スケーリングされた映像信号を映像で表示する（４１５）。
【００６８】
この一連のシーケンスの中で、アップグレード装置２００は、ディスプレイ装置１００のデコーディング プロセス（４１３）に対応するプロセス（４２３）を行うことができるように設けられる。アップグレード装置２００が行なわれることができるデコーディング プロセス（４２３）は、ディスプレイ装置１００が行なうことができるデコーディング プロセス（４１３）に比べてデコーディングという動作の側面では同一であるが、機能的にはさらに向上されたので、後者（４１３）の代わりに前者（４２３）が行なわれることが映像処理プロセスの向上のためには好ましい。
【００６９】
例えば、前者（４２３）では、後者（４１３）で処理できないレベル以上の解像度の映像信号を処理することができたり、後者（４１３）で処理できないフォーマットの映像信号を処理することができたり、後者（４１３）で適用されない付加的な効果が映像信号に適用されるように処理することができる。
【００７０】
従って、本実施形態による映像処理プロセスのシーケンスは、第１制御部１６０または第２制御部２６０の制御に従って、ディマルチプレキシング段階（４１２）以後にディスプレイ装置１００のデコーディング段階（４１３）を代えてアップグレード装置２００のデコーディング段階（４２３）が行なわれる。アップグレード装置２００のデコーディング段階（４２３）以後には、スケーリング段階（４１４）が行なわれる。
【００７１】
このようなシーケンスに従ってディスプレイ装置１００及びアップグレード装置２００の間には映像信号及び制御信号が相互間に送受信され、これは第１制御部１６０または第２制御部２６０の制御に従って行なわれる。
【００７２】
一方、映像処理プロセスの中で一部プロセスを代えた図３の場合と異なるように、アップグレード装置２００の第２映像処理部２２０がディスプレイ装置１００の第１映像処理部１２０を代える場合も可能であるので、これに対して以下の図４を参照して説明する。図４は、本実施形態によるディスプレイシステム１で、第１接続部１１０に受信される映像信号の送信過程を示す構成ブロック図である。
【００７３】
図４に示すように、アップグレード装置２００がディスプレイ装置１００に接続されていない場合、映像信号は、第１接続部１１０に受信されれば（４３１）、第１映像処理部１２０に伝達される（４３２）。第１映像処理部１２０は、映像信号を処理してディスプレイ部１３０に出力し（４３３）、これによって、ディスプレイ部１３０は第１映像処理部１２０によって処理された映像信号を映像で表示する。
【００７４】
一方、アップグレード装置２００がディスプレイ装置１００に接続されれば、映像信号は第１接続部１１０に受信されて（４３１）、第１映像処理部１２０ではなく第２映像処理部２２０に転送される（４３４）。第２映像処理部２２０は、第１映像処理部１２０の代わりに映像信号に対する映像処理プロセスを行い、第２映像処理部２２０によって処理された映像信号は再びディスプレイ装置１００に送信される（４３５）。
【００７５】
映像信号は、第１映像処理部１２０に伝達されないようにバイパス（ｂｙｐａｓｓ）されてディスプレイ部１３０に伝達され（４３６）、これによってディスプレイ部１３０は第２映像処理部２２０によって処理された映像信号を映像で表示する。
【００７６】
一方、ディスプレイ装置１００及びアップグレード装置２００の接続時、第２制御部２６０は、第１制御部１６０を無効化し第１映像処理部１２０及び第２映像処理部２２０を制御することができる。または、第２保存部２５０に保存されたオペレーティングシステムが第１保存部１５０に保存されたオペレーティングシステムよりバージョンアップ（ｖｅｒｓｉｏｎ−ｕｐ）された場合、第１保存部１５０のオペレーティングシステムを第２保存部２５０のオペレーティングシステムでアップデートさせアップデートされたオペレーティングシステムを駆動させたり、または第１保存部１５０のオペレーティングシステムの代わりに第２保存部２５０のオペレーティングシステムを駆動させる実施形態も可能である。
【００７７】
このような構成に従って、本実施形態によるアップグレード装置２００はディスプレイ装置１００をアップグレードさせることができる。
【００７８】
このようなディスプレイ装置１００及びアップグレード装置２００の構造による、ディスプレイシステム１のブーティング（ｂｏｏｔｉｎｇ）時にシステム電源の供給方法に対して図５を参照して説明する。図５は、ディスプレイ装置１００及びアップグレード装置２００が接続されない場合にブーティング時にディスプレイ装置１００の電源が供給される順序を示す例示図である。
【００７９】
ここで、ディスプレイ装置１００は、第１制御部１６０によって制御され、ディスプレイ装置１００のシステム電源を供給する電源供給部１７０をさらに含む。電源供給部１７０は、ディスプレイ装置１００の様々な構成、例えば第１接続部１１０、第１映像処理部１２０、ディスプレイ部１３０等の作動電源を提供する。
【００８０】
万一、アップグレード装置２００がディスプレイ装置１００に接続されない状態でディスプレイ装置１００がブーティングされる場合、電源供給部１７０からの電源は既に設定されたシーケンスに従って順次的に各構成要素に提供される。ここで、以下で説明するシーケンスは一つの例示であることを明らかにする。
【００８１】
例えば、ディスプレイ装置１００のシステム電源をターンオンさせるイベントに従ってブーティングが開始されれば、第１制御部１６０はまず第１保存部１５０に電源供給部１７０からの電源が提供されるように制御する（Ａ）。第１保存部１５０はブーティング時に参照される多様なデータが保存されており、第１制御部１６０は、第１保存部１５０全体、または第１保存部１５０でこのようなデータが保存されている特定の領域に対してだけ電源を引加させ、該当データを読み取ることができる。第１制御部１６０は読取られたデータを参照してブーティング過程を進行する。
【００８２】
第１制御部１６０は２番目に第１映像処理部１２０に電源を引加し（Ｂ）、３番目にディスプレイ部１３０に電源を引加する（Ｃ）。最後に、第１制御部１６０は外部と通信接続するための第１接続部１１０に対して電源を引加する（Ｄ）。このように、ディスプレイ装置１００単独でブーティングする場合の電源供給シーケンスは、第１映像処理部１２０のようなディスプレイ装置１００の内部構成に対する電源供給を第１接続部１１０のようなディスプレイ装置１００の外部接続構成に対する電源供給より優先する。
【００８３】
本シーケンスで第１映像処理部１２０が第１接続部１１０より先に電源が供給される理由は、ディスプレイ装置１００がブーティングされれば映像が優先的に表示されなければならないためである。ディスプレイ装置１００の構成中で、映像の処理及び表示と直接的な関連性が相対的に低い第１接続部１１０に対する電源供給の優先権は、映像処理に直接的に関与する第１映像処理部１２０より落ちる。
【００８４】
したがって、ブーティング時に電源の供給は、映像を処理する第１映像処理部１２０、映像を表示するディスプレイ部１３０、外部と接続する第１接続部１１０の順に成り立ちながら、これによって、ディスプレイ装置１００は、ブーティング開始後にできるだけ早い時点にユーザーに映像を提供することができる。
【００８５】
ところで、ディスプレイ装置１００にアップグレード装置２００が接続された状態で、ディスプレイシステム１のブーティング時に図５のようなシーケンスを適用すれば、次のような問題が発生することがある。
【００８６】
アップグレード装置２００はディスプレイ装置１００の電源が提供されて動作するので、アップグレード装置２００の動作のためにブーティング段階で第１接続部１１０を通じて電源供給部１７０の電源が供給される。ところで、前述したシーケンスによれば第１接続部１１０に対する電源供給の順序が最も後で設定されるので、この場合に第２映像処理部２２０は最も後で電源が供給される。
【００８７】
アップグレード装置２００によるディスプレイ装置１００のアップグレード遂行は、第２映像処理部２２０による映像処理プロセスの遂行過程を含む。したがって、ディスプレイ装置１００及びアップグレード装置２００が接続された状態で前述のシーケンスでブーティング時に電源供給が進行されれば、映像の処理が遅れることによって映像表示が遅延される。即ち、ブーティング過程が遅延される。
【００８８】
従って、本実施形態によるディスプレイ装置１００の第１制御部１６０はディスプレイ装置１００のブーティングが開始されれば、第１接続部１１０に対するアップグレード装置２００の接続可否に従ってアップグレード装置２００に優先的に電源供給部１７０からの電源が供給されるように制御する。これによって、ディスプレイ装置１００及びアップグレード装置２００が接続された状態で、ブーティング時間の遅延を最小化することができる。
【００８９】
以下、ディスプレイ装置１００及びアップグレード装置２００が接続された状態でブーティングが開始される時、アップグレード装置２００に優先的に電源を提供する方法に対しても６を参照して説明する。図６はディスプレイ装置１００及びアップグレード装置２００が接続された場合にブーティング時ディスプレイ装置１００の電源が供給される順序を示す例示図である。
【００９０】
図６に示すように、ディスプレイ装置１００及びアップグレード装置２００が接続された状態でディスプレイ装置１００のシステム電源をターンオンさせるイベントが発生すれば、ブーティングが開始される。
【００９１】
第１制御部１６０は、第１保存部１５０に電源が提供されるようにし（Ｅ）、ブーティング時に参照されるデータを第１保存部１５０から読み取る。本実施形態によれば、第１保存部１５０から読取られるデータの中にはディスプレイ装置１００にアップグレード装置２００が接続されたか否かを示すフラッグ（ｆｌａｇ）情報が含まれる。
【００９２】
このフラッグ情報は、現在ブーティング段階の以前時点でディスプレイ装置１００が動作する時、第１接続部１１０に対してアップグレード装置２００が接続されているか否かを示すように構成された情報である。第１制御部１６０または第２制御部２６０によってフラッグ情報が第１保存部１５０に保存され、万一第１接続部１１０にアップグレード装置２００が接続されていなければフラッグ情報は第１保存部１５０に保存されない。
【００９３】
第１制御部１６０は、第１保存部１５０からフラッグ情報が読取られれば、現在第１接続部１１０にアップグレード装置２００が接続されていると判断する。従って、第１制御部１６０は、図５のような電源供給シーケンスと異なるように、第１接続部１１０に電源が供給されるように制御する（Ｆ）。これによって、電源供給部１７０から提供される電源は第１接続部１１０を通じてアップグレード装置２００に引加され、アップグレード装置２００はターンオンされる。
【００９４】
次に、第１制御部１６０は第１映像処理部１２０に電源を供給し（Ｇ）、ディスプレイ部１３０に電源を供給する（Ｈ）。
【００９５】
このような過程に従って、アップグレード装置２００は、ブーティング時に優先的に電源が供給されることによって、映像信号を処理するためのアップグレード動作を図５の場合に比べて早い時点で行なうことができる。従って、ディスプレイ装置１００及びアップグレード装置２００の接続によるブーティング時間の遅延を最小化することができる。
【００９６】
一方、本実施形態では第１接続部１１０全体に対して電源が優先的に供給される場合（Ｆ）に対して説明した。ただし、第１接続部１１０が複数の接続端子（図示せず）を含む場合、このそれぞれの接続端子（図示せず）の中でアップグレード装置２００に接続された接続端子（図示せず）に対してだけ優先的に電源が供給されるように制御することもできる。
【００９７】
この場合、第１制御部１６０はＦ段階で第１接続部１１０の接続端子（図示せず）の中でアップグレード装置２００が接続された接続端子（図示せず）に対してだけ電源が供給されるようにする。また、第１制御部１６０は、第１接続部１１０の接続端子（図示せず）の中でアップグレード装置２００が接続されない他の接続端子（図示せず）に対してはＨ段階以後に電源が供給されるようにする。
【００９８】
以下、本発明の実施形態によるディスプレイ装置１００でフラッグ情報を保存する方法に関して図７を参照して説明する。図７はこのような過程を示す制御フローチャートであり、ディスプレイ装置１００のシステム電源がターンオンされている状態を初期状態とする。
【００９９】
また、本実施形態では第１制御部１６０が動作の主体であると表現したが、動作方式によっては第２制御部２６０が動作の主体になることもできる。
【０１００】
図７に図示する、第１制御部１６０はユーザー入力部１４０からシステム電源をターンオフさせるイベントが発生すれば（Ｓ１００）、現在アップグレード装置２００がディスプレイ装置１００に接続された状態であるか否かを判断する（Ｓ１１０）。
【０１０１】
アップグレード装置２００が接続された状態と判断されれば、第１制御部１６０は第１保存部１５０にフラッグ情報を保存する（Ｓ１２０）。
【０１０２】
万一、アップグレード装置２００が接続されなかった状態と判断されれば、第１制御部１６０はフラッグ情報を保存しない。一方、アップグレード装置２００がディスプレイ装置１００に接続されていない状態では第２制御部２６０が動作の主体になることができないので、この場合にもフラッグ情報が保存されることができない。
【０１０３】
第１制御部１６０は、フラッグ情報が保存されれば、システム電源をターンオフさせる（Ｓ１３０）。
【０１０４】
このような過程によって、ディスプレイ装置１００及びアップグレード装置２００の接続を示すフラッグ情報がディスプレイ装置１００に保存される。
【０１０５】
以下、ブーティング開始に従ってディスプレイ装置１００に電源が供給される方法に対して図８を参照して説明する。図８はこのような過程を示す制御フローチャートである。
【０１０６】
図８に示すように、システム電源のターンオン イベントが発生すれば（Ｓ２００）、第１制御部１６０はディスプレイ装置１００のブーティングを開始する。
【０１０７】
第１制御部１６０は、ディスプレイ装置１００にフラッグ情報が保存されているか否かを判断する（Ｓ２１０）。
【０１０８】
フラッグ情報が保存されていれば、第１制御部１６０はディスプレイ装置１００にアップグレード装置２００が接続されていると判断する。第１制御部１６０は、第１接続部１１０に電源を供給することによって第１接続部１１０を通じてアップグレード装置２００に電源が供給される（Ｓ２２０）。また、第１制御部１６０は、第１映像処理部１２０に電源を供給する（Ｓ２３０）。
【０１０９】
しかし、フラッグ情報が保存されていなければ、第１制御部１６０はディスプレイ装置１００にアップグレード装置２００が接続されていないと判断する。第１制御部１６０は、第１映像処理部１２０に電源を供給し（Ｓ２４０）、その次に第１接続部１１０に電源を供給する（Ｓ２５０）。
【０１１０】
このように電源供給が完了されると、ディスプレイ装置１００単独での映像処理プロセス、またはディスプレイ装置１００に対するアップグレード装置２００のアップグレードを通じる映像処理プロセスによって映像が表示され、ブーティングが完了される。
【０１１１】
このような過程に従って、ディスプレイ装置１００及びアップグレード装置２００の接続時に発生するブーティング時間の相対的な遅延を最小化させることができる。
【０１１２】
以上、多様な実施形態を通じて本発明に対して図示し説明したが、本発明はこれに限定されず、本発明の属する技術分野の通常の知識を有する人なら本発明の原則や精神に外れることなく本発明の一実施形態を変形し得ることを分かることができる。発明の範囲は、特許請求の範囲とその均等物によって定められる。
【符号の説明】
【０１１３】
１  ディスプレイシステム
１００  ディスプレイ装置
１１０  第１接続部
１２０  第１映像処理部
１３０  ディスプレイ部
１４０  ユーザー入力部
１５０  第１保存部
１６０  第１制御部
２００  アップグレード装置
２１０  第２接続部
２２０  第２映像処理部
２５０  第２保存部
２６０  第２制御部
【図１】
2013141228.tif 000003
【図２】
2013141228.tif 000004
【図３】
2013141228.tif 000005
【図４】
2013141228.tif 000006
【図５】
2013141228.tif 000007
【図６】
2013141228.tif 000008
【図７】
2013141228.tif 000009
【図８】
2013141228.tif 000010